【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
上レール部、ソール部、および、前記上レール部と前記ソール部との間で延在する凹所部分を有する本体と、
前記本体に回転可能に連結するように構成された第１の端部と、シャフトを受け入れるように構成された第２の端部と、を備えるホーゼルと、
前記本体が、前記ホーゼルの第１の端部を受け入れるように構成されたスロットを備え、
前記ホーゼルが、前記スロットにおいて、前記本体を通って延び、前記ホーゼルの穴に係合される少なくとも１つのピンと連結され、
前記ホーゼルの前記穴が、前記本体に対する前記ホーゼルの回転軸線を画定し、
前記凹所部分に挿入され前記シャフトに結合されるように構成されたインサートであって、前記凹所部分において、前記本体と前記シャフトとの間の複数の異なる角度に対応する複数の異なる回転位置のうちの１つの回転位置に位置決めされるように構成されたインサートと、
を備えるゴルフクラブヘッド。
【請求項２】
前記本体と前記シャフトとの間の前記複数の異なる角度が、前記本体と前記シャフトとの間の複数の異なるロフト角を含む、請求項１に記載のゴルフクラブヘッド。
【請求項３】
前記本体と前記シャフトとの間の前記複数の異なる角度が、前記本体と前記シャフトとの間の複数の異なるライ角を含む、請求項１又は２に記載のゴルフクラブヘッド。
【請求項４】
前記インサートが前記ホーゼルの前記第１の端部に結合されるように構成され、前記ホーゼルの前記第２の端部と前記シャフトとが、前記ホーゼルと前記シャフトとの間の調節可能な角度を提供するために回転可能に連結される、請求項１から３のいずれか一項に記載のゴルフクラブヘッド。
【請求項５】
前記インサートが複数の突起を備え、前記凹所が複数の調節凹所を備え、前記複数の調節凹所のうちの選択された複数の調節凹所との前記突起の係合が、前記選択された複数の調節凹所に対応する、前記本体と前記シャフトとの間の角度を提供する、請求項１から４のいずれか一項に記載のゴルフクラブヘッド。
【請求項６】
前記ホーゼルの前記第１の端部が、ボルトを受け入れるように構成されたネジ付き穴を備え、前記インサートが孔を備え、前記インサートの前記複数の回転位置の各々において、前記孔は、前記ボルトが前記孔を通って前記ネジ付き穴と係合することを提供するために、前記ネジ付き穴と異なる角度で位置合わせ可能である、請求項１から５のいずれか一項に記載のゴルフクラブヘッド。
【請求項７】
前記インサートが、前記本体と前記シャフトとの間の負の角度に対応する第１の回転位置と、前記本体と前記シャフトとの間の中立の角度に対応する第２の回転位置と、前記本体と前記シャフトとの間の正の角度に対応する第３の回転位置とを含む、請求項１から６のいずれか一項に記載のゴルフクラブヘッド。
【請求項８】
前記ホーゼルの前記第１の端部が、前記１つの回転位置において前記本体を前記シャフトに対して固定するために、前記ソール部から前記インサートを通って挿入されたボルトを受け入れるように構成されたネジ付き穴を備える、請求項７に記載のゴルフクラブヘッド。
【手続補正２】
【補正対象書類名】明細書
【補正対象項目名】００４０
【補正方法】変更
【補正の内容】
【００４０】
特定の例の方法、装置、システム、および製造品が本明細書で説明されたが、本開示の網羅の範囲はそれらに限定されない。むしろ、本開示は、添付の請求項の範囲内に平等にあるすべての方法、装置、システム、および製造品を、逐語的に、または、均等論の下で網羅している。以下の項目は、国際出願時の特許請求の範囲に記載の要素である。
［項目１］
上レール部、ソール部、および、前記上レール部と前記ソール部との間で延在する凹所部分を有する本体と、
前記本体に回転可能に結合されたシャフトと、
前記凹所部分に挿入され前記シャフトに結合されるように構成されたインサートであって、前記凹所部分において、前記本体と前記シャフトとの間の複数の異なる角度に対応する複数の異なる回転位置のうちの１つの回転位置に位置決めされるように構成されたインサートと、
を備えるゴルフクラブヘッド。
［項目２］
前記本体と前記シャフトとの間の前記複数の異なる角度が、前記本体と前記シャフトとの間の複数の異なるロフト角を含む、項目１に記載のゴルフクラブヘッド。
［項目３］
前記本体と前記シャフトとの間の前記複数の異なる角度が、前記本体と前記シャフトとの間の複数の異なるライ角を含む、項目１に記載のゴルフクラブヘッド。
［項目４］
前記本体に回転可能に連結するように構成された第１の端部と、前記シャフトを受け入れるように構成された第２の端部とを備えるホーゼルをさらに備え、前記インサートが、前記凹所部分において、前記本体と前記シャフトとの間の複数の異なる角度に対応する複数の異なる回転位置のうちの１つの回転位置に位置決めされるとき、前記ホーゼルの前記第１の端部に結合されるように構成される、項目１に記載のゴルフクラブヘッド。
［項目５］
前記本体に回転可能に連結するように構成された第１の端部と、前記シャフトを受け入れるように構成された第２の端部とを備えるホーゼルをさらに備え、前記インサートが前記ホーゼルの前記第１の端部に結合されるように構成され、前記ホーゼルの前記第２の端部と前記シャフトとが、前記ホーゼルと前記シャフトとの間の調節可能な角度を提供するために回転可能に連結される、項目１に記載のゴルフクラブヘッド。
［項目６］
前記インサートが複数の突起を備え、前記凹所が複数の調節凹所を備え、前記複数の調節凹所のうちの選択された複数の調節凹所との前記突起の係合が、前記選択された複数の調節凹所に対応する、前記本体と前記シャフトとの間の角度を提供する、項目１に記載のゴルフクラブヘッド。
［項目７］
前記本体に回転可能に連結するように構成された第１の端部と、前記シャフトを受け入れるように構成された第２の端部とを備えるホーゼルをさらに備え、前記インサートが前記ホーゼルの前記第１の端部に結合されるように構成され、前記ホーゼルの前記第１の端部が、ボルトを受け入れるように構成されたネジ付き穴を備え、前記インサートが孔を備え、前記インサートの前記複数の回転位置の各々において、前記孔は、前記ボルトが前記孔を通って前記ネジ付き穴と係合することを提供するために、前記ネジ付き穴と異なる角度で位置合わせ可能である、項目１に記載のゴルフクラブヘッド。
［項目８］
前記本体に回転可能に連結するように構成された第１の端部と、前記シャフトを受け入れるように構成された第２の端部とを備えるホーゼルをさらに備え、前記インサートが前記ホーゼルの前記第１の端部に結合されるように構成され、前記ホーゼルの前記第１の端部が留め具を備え、前記インサートが孔を備え、前記インサートの前記複数の回転位置の各々において、前記孔は、前記留め具が前記孔を通って係合することを提供するために、前記留め具と異なる角度で位置合わせ可能である、項目１に記載のゴルフクラブヘッド。
［項目９］
前記本体に回転可能に連結するように構成された第１の端部と、前記シャフトを受け入れるように構成された第２の端部とを備えるホーゼルをさらに備え、前記インサートが前記ホーゼルの前記第１の端部に結合されるように構成され、前記本体が、前記ホーゼルを受け入れるように構成されたスロットを備え、前記ホーゼルが、前記スロットにおいて、前記本体を通って延び、前記ホーゼルの穴に係合される少なくとも１つのピンと連結され、前記ホーゼルの前記穴が、前記本体に対する前記ホーゼルの回転軸線を画定する、項目１に記載のゴルフクラブヘッド。
［項目１０］
前記インサートが、前記本体と前記シャフトとの間の負の角度に対応する第１の回転位置と、前記本体と前記シャフトとの間の中立の角度に対応する第２の回転位置と、前記本体と前記シャフトとの間の正の角度に対応する第３の回転位置とを含む、項目１に記載のゴルフクラブヘッド。
［項目１１］
前記凹所部分が、前記ソール部から前記上レール部に向かって延びる第１の凹所区間と、前記第１の凹所区間から前記上レール部に向かって延びる第２の凹所区間とを備え、前記第２の凹所区間が、前記第２の凹所区間への前記インサートの挿入を防止するために、前記インサートの対応する寸法より小さい少なくとも１つの寸法を有する、項目１に記載のゴルフクラブヘッド。
［項目１２］
上レール部、ソール部、および、前記上レール部と前記ソール部との間で延在する凹所部分を有する本体と、
前記本体に回転可能に連結するように構成された第１の端部、および、前記シャフトを受け入れるように構成された第２の端部を備えるホーゼルであって、前記本体に対して、前記本体と前記シャフトとの間のロフト角調節に対応する少なくとも第１の軸線の周りに、および、前記本体と前記シャフトとの間のライ角調節に対応する第２の軸線の周りに回転可能であるホーゼルと、
前記凹所部分に挿入され前記ホーゼルの前記第１の端部に結合されるように構成されたインサートであって、前記凹所部分において、前記本体と前記シャフトとの間の複数の異なるロフト角または複数のライ角に対応する複数の異なる回転位置のうちの１つの回転位置に位置決めされるように構成されたインサートと、
を備えるゴルフクラブヘッド。
［項目１３］
前記ホーゼルの前記第１の端部が、前記１つの回転位置において前記本体を前記シャフトに対して固定するために、前記ソール部から前記インサートを通って挿入されたボルトを受け入れるように構成されたネジ付き穴を備える、項目１２に記載のゴルフクラブヘッド。
［項目１４］
前記ホーゼルの前記第１の端部が、前記１つの回転位置において前記本体を前記シャフトに対して固定するために、前記インサートを通って挿入され、前記ソール部からの留め具と係合されるように構成されたボルトを備える、項目１２に記載のゴルフクラブヘッド。
［項目１５］
前記本体が、前記ホーゼルを受け入れるように構成されたスロットを備え、前記ホーゼルが、前記スロットにおいて、前記ヘッドを通って延び、前記ホーゼルの穴に係合される少なくとも１つのピンと連結され、前記ホーゼルの前記穴が、前記本体に対する前記ホーゼルの回転軸線を画定する、項目１２に記載のゴルフクラブヘッド。
［項目１６］
前記凹所部分が、前記ソール部から前記上レール部に向かって延びる第１の凹所区間と、前記第１の凹所区間から前記上レール部に向かって延びる、前記ボルトを受け入れるように構成された第２の凹所区間とを備え、前記第２の凹所区間が、前記第２の凹所区間への前記インサートの挿入を防止するために、前記インサートの対応する寸法より小さい少なくとも１つの寸法を有する、項目１２に記載のゴルフクラブヘッド。
［項目１７］
ゴルフクラブヘッドを製造する方法であって、
上レール部およびソール部によって画定され、前記ソール部から前記上レール部に向かって延びる凹所部分を備える本体を形成するステップと、
前記本体に回転可能に連結するように構成された第１の端部、および、シャフトを受け入れるように構成された第２の端部を備えるホーゼルを形成するステップと、
前記凹所部分に挿入され前記ホーゼルの前記第１の端部に結合されるように構成されたインサートであって、前記凹所部分において、前記本体と前記シャフトとの間の複数の異なる角度に対応する複数の異なる回転位置のうちの１つの回転位置に位置決めされるように構成されたインサートを形成するステップと、
を含む方法。
［項目１８］
前記ホーゼルと前記シャフトとの間の調節可能な角度を提供するために、前記ホーゼルおよび前記シャフトを回転可能に連結するステップをさらに含む、項目１７に記載の方法。
［項目１９］
前記ホーゼルの前記第１の端部に、ボルトを受け入れるように構成されたネジ付き穴を形成するステップと、
孔を前記インサートに形成するステップと
をさらに含み、
前記インサートの前記複数の回転位置の各々において、前記孔は、前記ボルトが前記孔を通って前記ネジ付き穴と係合することを提供するために、前記ネジ付き穴と位置合わせ可能である、項目１７に記載の方法。
［項目２０］
ボルトを前記第１の端部において含むように前記ホーゼルを形成するステップと、
孔を形成するステップと
をさらに含み、
前記インサートの前記複数の回転位置の各々において、前記孔は、前記ボルトが前記孔を通って前記ソール部における留め具と係合することを提供するために、前記ボルトと位置合わせ可能である、項目１７に記載の方法。
［項目２１］
前記本体に、前記ホーゼルを受け入れるように構成されたスロットを形成するステップをさらに含み、前記ホーゼルが、前記スロットにおいて、前記本体を通って延び、前記ホーゼルの穴に係合される少なくとも１つのピンと連結され、前記ホーゼルの前記穴が、前記本体に対する前記ホーゼルの回転軸線を画定する、項目１７に記載の方法。